(57)【要約】【課題】  整畦部の耐久性が向上し、圃場の土質条件が変化しても仕上がりがよい新畦の形成を可能にする。【解決手段】  畦塗り機の整畦部４０は、円錐台形状の多面体ドラム４１とこのドラムの頂部側の中央部に突設された円筒部４５とを有してなる。多面体ドラム４１の内側には回転駆動軸５０が回転自在に支持され、この回転駆動軸５０の先端部に固定部材６０が取り付けられる。多面体ドラム４１は、固定部材６０の固定側フランジ部６３にドラム側フランジ部４２と円筒部４５に設けられた円筒側フランジ部とを対向配置するとともに固定側フランジ部６３とドラム側フランジ部４２との間に弾性部材７０を介在させてこれらをボルト４４で締結することで、固定部材６０を介して回転駆動軸５０に取り付けられる。つまり、整畦部４０は弾性部材７０を介して自由度を有して回転駆動軸５０に取り付けられる。【選択図】  図２
2007006826.tif 000002
【特許請求の範囲】
【請求項１】
走行機体に装着され、該走行機体からの動力を受けて駆動し、旧畦を切り崩して土盛りを行う前処理部及び盛られた土を切り崩された旧畦上に回転しながら塗り付けて成形する整畦部を備えた畦塗り機において、
前記整畦部を、自由度を有して取り付けることを特徴とする畦塗り機。
【請求項２】
走行機体に装着され、該走行機体からの動力を受けて駆動し、旧畦を切り崩して土盛りを行う前処理部及び盛られた土を切り崩された旧畦上に回転しながら塗り付けて成形する整畦部を備えた畦塗り機において、
前記整畦部は、畦側面整畦部と畦上面整畦部を有し、
該畦側面整畦部及び該畦上面整畦部の少なくとも一方を、自由度を有して取り付けることを特徴とする畦塗り機。
【請求項３】
前記整畦部は、弾性部材を介して取り付けることを特徴とする請求項１又は２に記載の畦塗り機。
【請求項４】
前記弾性部材は、交換可能に取り付けられることを特徴とする請求項３に記載の畦塗り機。
【請求項５】
前記弾性部材は、弾性力の調節が可能であることを特徴とする請求項３又は４に記載の畦塗り機。
【発明の詳細な説明】
【技術分野】
【０００１】
本発明は、水田を区画する旧畦を畦塗り修復して新畦を形成する畦塗り機に関する。
【背景技術】
【０００２】
このような畦塗り機は、トラクタ等の走行機体の後部に装着されて、走行機体からの動力を受けて駆動し、旧畦に沿って移動しながら新畦を形成するものであり、走行機体に装着される装着部と、装着部から左右方向一方にオフセットされた位置に回動可能に配設された作業部を主要な構成として備える。
【０００３】
作業部は、旧畦を切り崩して土盛りを行う前処理部と盛られた土を切り崩された旧畦上に回転しながら塗り付けて成形する整畦部を備えるのが一般的であり、整畦部は、旧畦の側面を成形する円錐台形状のドラムとドラムの頂部側の中央部に突設された円筒部とを有してなるものが知られている。
【０００４】
このような従来の畦塗り機においては、装着部に対する整畦部の位置が固定的に配置されて作業するため、圃場の土質条件によって新畦の仕上がりが低下する場合がある。例えば、水分の多い湿田の場合には、土壌が柔らか過ぎて整畦部による新畦の整形が困難になることがあり、乾田の場合には、整畦部が必要以上の締付けを行って新畦が変形したり、整畦部が摩耗・損傷することがある。
【０００５】
一方、このような圃場の土質条件が変化した場合でも、仕上がりのよい新畦成形が可能な整畦部を備えた畦塗り機が開発されている（特許文献１参照）。この特許文献１に記載の畦塗り機８０は、図５（ａ）（平面図）に示すように、進行方向に対して横方向に延びる機枠８１の右側端部に前処理部（文献では削土ロータ）８２を回転自在に有し、前処理部８２より進行方向後側に整畦部（文献では回転整畦体）８３を回転自在に有して構成され、前処理部８２及び整畦部８３は走行機体９０からの動力を受けて回転する。
【０００６】
ここで、整畦部８３は、図５（ｂ）（断面図）に示すように、整畦部８３の外周面部分に圧接面部８４を周方向に所定間隔を有して複数配設すると共に、周方向に隣接する圧接面部８４間に一方側の圧接面部８４から他方側の圧接面部８４に延びて可撓弾性をもつ圧締板体８５を配設して構成されている。このような整畦部８３は、矢印Ａが示す畦塗り機８０の進行方向に対して矢印Ｂが示す回転方向に回転するに伴い、圧締板体８５が盛土を徐々に締圧するとともに、圧締面部８４により圧締板体８５を介して盛土を強く締圧する。ここで、圧締板体８５は可撓弾性を有しているので、圧締板体８５は平面状から撓んで盛土を徐々に締圧することができる。従って、整畦部８３は、圃場の土質条件に応じて圧締板体８５が変形して、圃場の土質条件に係わらずに、仕上がりのよい堅牢な新畦を形成することができる。
【０００７】
【特許文献１】特開２０００−３７１０４号公報
【発明の開示】
【発明が解決しようとする課題】
【０００８】
この特許文献１に記載の整畦部の圧締板体は、ナイロン樹脂や塩化ビニル樹脂等の合成樹脂板又はバネ鋼製等によって形成されているので、強度が弱く、摩耗による損傷が大きい。このため、圧締板体は頻繁に交換する必要があり、交換作業が煩わしいという問題がある。
【０００９】
本発明は、整畦部の耐久性が向上し、圃場の土質条件が変化しても仕上がりのよい新畦を形成可能な整畦部が要求されており、このような要求に応える整畦部を備えた畦塗り機を提供することを目的とする。
【課題を解決するための手段】
【００１０】
上記目的を達成するために本発明の畦塗り機は、走行機体に装着され、該走行機体からの動力を受けて駆動し、旧畦を切り崩して土盛りを行う前処理部及び盛られた土を切り崩された旧畦上に回転しながら塗り付けて成形する整畦部を備えた畦塗り機において、整畦部を、自由度を有して取り付けることを特徴とする。
【００１１】
この発明によれば、整畦部を自由度を有して取り付けることにより、旧畦の土質条件に応じて整畦部の移動を可能にすることができる。即ち、土質が柔らかい場合には、整畦部は旧畦に接近する側への移動が可能となり、土質が固い場合には、整畦部は旧畦から離反する側への移動が可能となる。このため、上記作用により、土質の影響を受け難く、きれいな畦を整畦することが可能である。また整畦部に過度の圧力が作用することが無くなり、整畦部が損傷して寿命が低下するのを抑制することができ、損傷部分の頻繁な交換作業を無くすことができる。
【００１２】
本発明の畦塗り機は、走行機体に装着され、該走行機体からの動力を受けて駆動し、旧畦を切り崩して土盛りを行う前処理部及び盛られた土を切り崩された旧畦上に回転しながら塗り付けて成形する整畦部を備えた畦塗り機において、整畦部は、畦側面整畦部（例えば、実施形態における多面体ドラム４１）と畦上面整畦部（例えば、実施形態における円筒部４５）を有し、該畦側面整畦部及び該畦上面整畦部の少なくとも一方を、自由度を有して取り付けることを特徴とする。
【００１３】
この発明によれば、整畦部は畦側面整畦部と畦上面整畦部とを有してなり、これらの少なくとも一方が自由度を有して取り付けられることにより、旧畦の土質条件に応じて畦側面整畦部及び畦上面整畦部の移動を可能にすることができる。即ち、土質が柔らかい場合には、畦側面整畦部は畦側面に接近する側への移動が可能となり、畦上面整畦部は畦上面に接近する側への移動が可能となる。また土質が固い場合には、畦側面整畦部は畦側面から離反する側への移動が可能となり、畦上面整畦部は畦上面から離反する側への移動が可能となる。このため、特に畦側面及び畦上面に過度の圧力が作用することが無くなり、土質が柔らかい場合でも、最適な締付け力により新畦の形成を可能にすることができ、畦の仕上がりも向上する。また土質が固い場合には、整畦部の摩耗や損傷による寿命の低下を抑制することができ、頻繁な交換作業を無くすことができる。さらには、畦上面整畦部のみに自由度を持たせた場合、側面の傾斜が変化したとしても上面（天場）を常に水平に仕上げることができる。
【００１４】
また本発明の整畦部は、弾性部材（例えば、実施形態における弾性部材７０、圧縮ばね７１）を介して取り付けることを特徴とする。
【００１５】
この発明によれば、整畦部は弾性部材を介して取り付けられることにより、整畦部の移動を付勢したり抑制したりすることができる。このため、旧畦に対する整畦部の締圧力を所望の範囲内にすることができ、適切な締圧力によって仕上がりのよい新畦を形成することができる。
【００１６】
また本発明の弾性部材は、交換可能に取り付けられることを特徴とする。
【００１７】
この発明によれば、弾性部材を交換可能に取り付けることにより、疲労等によって機能が低下した弾性部材を容易に取り替えることができる。
【００１８】
さらに本発明の弾性部材は、弾性力の調節が可能であることを特徴とする。
【００１９】
この発明によれば、弾性部材の弾性力を調節可能にすることにより、旧畦の土質の状態に応じて弾性部材の弾性力を調整することができ、本発明の畦塗り機によって畦塗り作業が行われる旧畦の対象範囲を広げることができる。
【発明の効果】
【００２０】
本発明に係わる畦塗り機によれば、整畦部が自由度を有すると共に弾性部材を介して取り付けられることにより、整畦部の耐久性が向上し、圃場の土質条件が変化しても仕上がりのよい新畦を形成可能な整畦部を備えた畦塗り機を提供することができる。
【発明を実施するための最良の形態】
【００２１】
以下、本発明に係わる畦塗り機の好ましい実施の形態を図１から図４に基づいて説明する。本実施の形態は、走行機体の前進走行に応じて畦塗り作業を行なう畦塗り機を例にして説明する。なお、説明の都合上、図１（平面図）に示す矢印の方向を前後方向及び左右方向として、以下説明する。
【００２２】
畦塗り機１は、図１に示すように、フロントフレーム１０、オフセットアーム２０及び作業部３０を有しており、フロントフレーム１０を走行機体９０の後部に装着された三点リンク機構９１に連結することにより走行機体９０に装着される。走行機体９０とフロントフレーム１０との間には、図示しないユニバーサルジョイントが介装され、走行機体９０からの駆動力がユニバーサルジョイントを介してフロントフレーム１０、オフセットアーム２０、作業部３０へと順次伝達されるように構成されている。
【００２３】
オフセットアーム２０は、前端部がフロントフレーム１０の中央部に回動自在に取り付けられて後方側へ延び、フロントフレーム１０及びオフセットアーム２０間には伸縮シリンダ２１が設けられている。この伸縮シリンダ２１の伸縮動作により、オフセットアーム２０の前側の回動支点を揺動中心としてオフセットアーム２０が水平方向に回動して、オフセットアーム２０の後端部に枢支された作業部３０を走行機体９０に対して左右方向に移動させることができる。
【００２４】
オフセットアーム２０及び作業部３０間には回動シリンダ２３が介装されており、この回動シリンダ２３が伸縮すると、オフセットアーム２０が左右方向に移動して作業部３０の位置が変わっても作業部３０を所望の作業姿勢に維持することができるようになっている。
【００２５】
作業部３０は、前側から後方側に、前処理部３１及び整畦部４０を配設してなる。前処理部３１は元畦の一部を切り崩して土盛りし、整畦部４０は前処理部３１により盛られた土を元畦に塗り付けて新畦を形成する。
【００２６】
前処理部３１は、前後方向に延びる回転軸に複数の耕耘爪を有した前処理ロータ（図示せず）を備える。整畦部４０は、図２（ａ）（断面図）に示すように、円錐台形状の多面体ドラム４１とこのドラムの頂部側の中央部に突設された円筒部４５とを有してなる。多面体ドラム４１の頂部には内側へ延びる環状のドラム側フランジ部４２が設けられ、ドラム側フランジ部４２の内側には開口部４３が形成されている。ドラム側フランジ部４２にはボルト４４を挿通する貫通孔が周方向に複数設けられている。
【００２７】
多面体ドラム４１の内側には、回転駆動軸５０が回転自在に支持されており、この回転駆動軸５０の先端部に固定部材６０が螺合して固定されている。固定部材６０は、回転駆動軸５０を挿通する本体部６１と本体部６１の外周に設けられた環状の固定側フランジ部６３を有する。固定側フランジ部６３には、ドラム側フランジ部４２に設けられた複数の貫通孔のそれぞれに対向配置されるねじ孔が複数設けられている。多面体ドラム４１は、左側から右側に固定側フランジ部６３、後述する弾性部材７０、ドラム側フランジ部４２及び後述する円筒部４５の円筒側フランジ部を配置してこれらに挿通されたボルト４４を固定側フランジ部６３に締結することにより、固定部材６０を介して回転駆動軸５０に固定されている。
【００２８】
円筒部４５は、畦上面の幅に合わせて複数の筒状部材４６（図面では２個）を軸方向に着脱可能に連結してなり、多面体ドラム４１側に対向配置された筒状部材４６の端部には、固定部材６０に結合される前述した円筒側フランジ部が設けられている。円筒部４５は、円筒側フランジ部、ボルト等を介して固定部材６０に固定されて、多面体ドラム４１と一体化している。なお、円筒部４５は、図３（ａ）（断面図）に示すように、多面体ドラム４１側の筒状部材４６の内側に配設された取付ボルト４７を固定側フランジ部６３に締結して、固定部材６０に取り付けられてもよい。
【００２９】
このように一体化された多面体ドラム４１及び円筒部４５を有してなる整畦部４０は、図２（ａ）に示すように、弾性部材７０を介して回転駆動軸５０に固定されている。つまり、整畦部４０は、回転駆動軸５０の軸方向及び垂直方向に位置変更可能な自由度を有して回転駆動軸５０に固定されている。このため、整畦部４０は、矢印Ａが示すような旧畦Ｋから離反する側への移動が可能である。従って、例えば、土質が柔らかい場合には、整畦部４０は旧畦Ｋから離反する側への移動が弾性体７０によって抑制され、土質が固い場合には、整畦部４０は旧畦Ｋから離反する側への移動が可能となって整畦部４０による締圧力が小さくなる。このため、土質が柔らかい場合には、締圧力が過小になる事態が防止され、土質が固い場合には、締圧力が過大になる事態が防止されて、圃場の土質や水分に応じた適正な締圧力で畦を整形することができ、仕上がりのよい新畦Ｓを形成することができる。
【００３０】
なお、前述した実施例では、円筒部４５は多面体ドラム４１と一体化された場合を示したが、図３（ｂ）（断面図）に示すように、円筒部４５を多面体ドラム４１に対して上下方向及び前後方向に自由度を有して取り付けてもよい。この場合、多面体ドラム４１に対向配置された筒状部材４６の多面体ドラム側端部に配設された円筒側フランジ部４６ａに設けられた挿通孔に環状のゴム製の弾性部材７２を挿着し、この弾性部材７２に取付ボルト４７を挿通し、この取付ボルト４７の先端部を固定側フランジ部６３に締結する。従って、円筒部４５は弾性部材７２を介して回転駆動軸５０に自由度を有して取り付けられるので、自由度を有した多面体ドラム４１と相まって、圃場の土質条件に応じて多面体ドラム４１及び円筒部４５の移動が可能となる。このため、圃場全体が柔らかい場合において、最適な締付け力により新畦の形成を可能にすることができる。また、多面体ドラム４１が回転駆動軸５０に対して固定されている（自由度を有していない）場合で、円筒部４５は前述のように自由度を有していると、畦側面の傾斜をゆるくして強い畦にしようとする場合等、回転駆動軸５０を傾斜させて畦側面の傾斜を変化させたとしても、畦上面は常に水平に仕上げることができる。
【００３１】
図２（ａ）に示すように、弾性部材７０は、円盤状に形成されて弾性を有したゴム材料で形成され、弾性部材７０の外周側の縁部にはボルト４４を挿通可能な複数の挿通孔が設けられている。このため、固定側フランジ６３に螺合するボルト４４を外し、弾性部材７０からボルト４４を抜脱することで、疲労等によって機能低下した弾性部材７０の交換を容易に行うことができる。
【００３２】
なお、弾性部材７０は、ゴム製に限るものではなく、図４（ａ）（断面図）に示すように、圧縮ばね７１でもよい。弾性部材７０を圧縮ばね７１にすると、ばねの長さを変えることにより弾性力を調整することができる。圧縮ばね７１の長さ調整は、固定側フランジ６３に螺合するボルト４４を回して、固定側フランジ６３に対するボルト頭部４４ａの位置を変えることにより行う。
【００３３】
また前述した実施例では、弾性部材７０、圧縮ばね７１をドラム側フランジ部４２と固定側フランジ部６３との間に介在させた場合を示したが、図２（ｂ）（断面図）及び図４（ｂ）（断面図）に示すように、弾性部材７０、圧縮ばね７１をドラム側フランジ部４２とボルト頭部４４ａとの間に介在させてもよい。このようにすると、整畦部４０は、例えば、矢印Ｂが示すような旧畦Ｋに接近する側への移動が可能となる。このため、整畦部４０による旧畦Ｋへの締圧力が過度に大きくなる事態を防止することができる。
【００３４】
また、図２（ｃ）（断面図）及び図４（ｃ）（断面図）に示すように、ドラム側フランジ部４２の左右両側に弾性体７０、圧縮ばね７１を配設してもよい。このようにすると、前述した図２（ａ）及び図２（ｂ）に示されたゴム製の弾性体７０の各機能を併せ持つことができ、また図４（ａ）及び図４（ｂ）に示された圧縮ばね７１の各機能を併せ持つことができる。
【００３５】
このように、整畦部４０は自由度を有して回転駆動軸５０に支持されるので、整畦部４０に過度の圧力が作用することが無く、整畦部４０が損傷して寿命が低下するのを抑制することができ、損傷部分の頻繁な交換作業を無くすことができる。また、整畦部４０は弾性部材７０，７１を介して取り付けられるので、整畦部４０の移動が付勢されたり抑制されたりして、畦成形における整畦部４０の締圧力が所望の範囲内となる。このため、適切な締圧力によって仕上がりのよい新畦Ｓを形成することができる。
【００３６】
さらに弾性部材７０を圧縮ばね７１にすることで、圃場の土質の状態に応じて圧縮ばね７１の弾性力の調整が可能になり、本発明の畦塗り機１によって畦塗り作業が行われる圃場の対象範囲を広げることができる。
【００３７】
なお、前述した実施例では、図１に示すように、整畦部４０を有した作業部３０をオフセットアーム２０の移動端側に回動可能に設けた畦塗り機１を例にして示したが、畦塗り機は、装着部１０に取り付けられた枠体（図示せず）に進行方向に対して横方向の端部に作業部３０を設けた畦塗り機や、作業部３０を一方側の作業位置から他方側の作業位置に反転させた状態で移動させて後進走行でも畦塗り作業が可能な畦塗り機でもよい。
【図面の簡単な説明】
【００３８】
【図１】本発明の一実施の形態に係わる畦塗り機の平面図を示す。
【図２】この畦塗り機に設けられた整畦部の断面図を示す。
【図３】この畦塗り機に設けられた整畦部の断面図を示す。
【図４】この畦塗り機に設けられた整畦部の断面図を示す。
【図５】従来の畦塗り機を示し、同図（ａ）は畦塗り機の平面図であり、同図（ｂ）は整畦部の断面図である。
【符号の説明】
【００３９】
１  畦塗り機
３１  前処理部
４０  整畦部
４１  多面体ドラム（畦側面整畦部）
４５  円筒部（畦上面整畦部）
７０  弾性部材
７１  圧縮ばね（弾性部材）
９０  走行機体
Ｋ  旧畦
【図１】
2007006826.tif 000003
【図２】
2007006826.tif 000004
【図３】
2007006826.tif 000005
【図４】
2007006826.tif 000006
【図５】
2007006826.tif 000007